【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータによる実行が可能な複数のアプリケーション・ソフトウェアの各々が複数の画質モードのうちの選択された１つに対応付けされる画質モード・テーブルと、前記ビデオ回路を調整するためのパラメータが前記複数の画質モードの各々に対応付けられるパラメータ・テーブルとを予め記憶する第１の記憶手段と、
前記コンピュータで実行され、かつユーザにより選択される１つのアプリケーション・ソフトウェアがアクティブ・アプリケーションである場合、前記通信インターフェイスを介して前記アクティブ・アプリケーションを決定し、かつ前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記画質モード・テーブル及び前記パラメータ・テーブルを基礎として前記アクティブ・アプリケーションに対応するパラメータにより、前記アクティブ・アプリケーションに関連づけられるビデオ回路を調整するための制御手段と、を備え、
前記第１の記憶手段は、前記画質モードを前記アクティブ・アプリケーションの表示状態に対応させることができ、
前記制御手段は、前記アクティブ・アプリケーションの表示状態に対応するパラメータによって前記ビデオ回路を調整することを特徴するディスプレイ装置。
【請求項２】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記コンピュータで実行が可能な複数のアプリケーション・ソフトウェアの各々が複数の画質モードのうちの選択された１つに対応付けされる画質モード・テーブルと、前記ビデオ回路を調整するためのパラメータが前記複数の画質モードの各々に対応付けられるパラメータ・テーブルとを予め記憶する第１の記憶手段と、
前記コンピュータで実行され、かつユーザにより選択される１つのアプリケーション・ソフトウェアがアクティブ・アプリケーションである場合、前記コンピュータにより決定されるアクティブ・アプリケーション情報を前記通信インターフェイスを介して受信し、かつ前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記画質モード・テーブル及び前記パラメータ・テーブルを基礎として前記アクティブ・アプリケーションに対応するパラメータにより、前記アクティブ・アプリケーションに関連づけられるビデオ回路を調整するための制御手段と、を備え、
前記第１の記憶手段は、前記画質モードを前記アクティブ・アプリケーションの表示状態に対応させることができ、
前記制御手段は、前記アクティブ・アプリケーションの表示状態に対応するパラメータによって前記ビデオ回路を調整することを特徴とするディスプレイ装置。
【請求項３】
コンピュータに内蔵されたグラフィック・コントローラからの出力信号に基づきビデオ回路を介して画像を表示するディスプレイ装置において、
前記コンピュータとの間における通信に使用される通信インターフェイスと、
前記ビデオ回路を調整するためのパラメータが各々複数の画質モードのうちの１つに対応付けられるパラメータ・テーブルを予め記憶する第１の記憶手段と、
アプリケーション・ソフトウェアが画質モードに対応付けされる画質モード・テーブルを予め記憶する前記コンピュータにより実行されかつユーザにより選択されるアプリケーション・ソフトウェアがアクティブ・アプリケーションである場合、前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記コンピュータにより決定されかつ前記通信インターフェイスを介して受信される前記アクティブ・アプリケーションの画質モード及び前記パラメータ・テーブルを基礎として前記アクティブ・アプリケーションに対応するパラメータにより、前記アクティブ・アプリケーションに関連づけられるビデオ回路を調整する制御手段と、を備え、
前記第１の記憶手段は、前記グラフィック・コントローラの画質調整値を前記アクティブ・アプリケーションの表示状態に対応させるように動作し、
前記グラフィック・コントローラは、前記アクティブ・アプリケーションの表示状態に対応する画質調整値によって調整されることを特徴とするディスプレイ装置。
【請求項４】
コンピュータに内蔵されたグラフィック・コントローラからの出力信号に基づきビデオ回路を介して画像を表示するディスプレイ装置において、
前記コンピュータとの間における通信に使用される通信インターフェイスと、
アプリケーション・ソフトウェアが各々画質モードに対応付けされる画質モード・テーブルと、前記コンピュータにより実行されるべきアプリケーション・ソフトウェアが各々前記ビデオ回路を調整するためのパラメータに対応付けされるパラメータ・テーブルとを予め記憶する前記コンピュータにより実行され、かつユーザにより選択されるアプリケーション・ソフトウェアがアクティブ・アプリケーションである場合、前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記コンピュータにより決定されかつ前記通信インターフェイスを介して受信される前記アクティブ・アプリケーションに対応するパラメータにより、前記アクティブ・アプリケーションに関連づけられるビデオ回路を調整する制御手段と、
前記グラフィック・コントローラの画質調整値を前記アプリケーション・ソフトウェアの表示状態に対応させる記憶手段と、を備え、
前記グラフィック・コントローラは、前記アクティブ・アプリケーションの表示状態に対応する画質調整値によって調整されることを特徴とするディスプレイ装置。
【請求項５】
請求項３に記載のディスプレイ装置において、
前記第１の記憶手段は、アプリケーション・ソフトウェアの表示状態に応じてパラメータがさらに対応付け可能であり、
アクティブ・アプリケーションに対して、表示状態に応じたパラメータが対応付けられている場合には、前記ビデオ回路を調整することを特徴とするディスプレイ装置。
【請求項６】
請求項３または５に記載のディスプレイ装置において、
前記第１の記憶手段は、アプリケーション・ソフトウェアと前記グラフィック・コントローラの画質調整値とをさらに対応付け可能であり、
アクティブ・アプリケーションに対して画質調整値が対応付けられている場合には、前記グラフィック・コントローラを調整することを特徴とするディスプレイ装置。
【請求項７】
請求項１または２に記載のディスプレイ装置において、
前記第１の記憶手段は、アプリケーション・ソフトウェアの画質モードと前記グラフィック・コントローラの画質調整値とをさらに対応付け可能であり、
アクティブ・アプリケーションの画質モードに対して画質調整値が対応付けられている場合には、前記グラフィック・コントローラを調整することを特徴とするディスプレイ装置。
【請求項８】
請求項１ないし４のいずれかに記載のディスプレイ装置において、
前記第１の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とするディスプレイ装置。
【請求項９】
請求項６ないし８のいずれかに記載のディスプレイ装置において、
前記画質調整値は、少なくともガンマ値と解像度のいずれか一方を含むことを特徴とするディスプレイ装置。
【請求項１０】
請求項１ないし３のいずれかに記載のディスプレイ装置において、
前記パラメータは、ガンマ値、コントラスト、ブライトネス、色温度、輪郭補正のうち、少なくともいずれか一つを含むことを特徴とするディスプレイ装置。
【請求項１１】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
前記コンピュータにより実行されるべきアプリケーション・ソフトウェアが各々画質モードに対応付けされる画質モード・テーブルと、前記ビデオ回路を調整するためのパラメータが各々前記画質モードに対応付けされるパラメータ・テーブルとを予め記憶するための第１の記憶手段と、
前記パラメータによって前記ビデオ回路を調整する制御手段とを備え、
前記コンピュータは、
アクティブ・アプリケーションを判別するための判別手段を含み、
前記制御手段は、前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記コンピュータから前記通信インターフェイスを介して受信されるアクティブ・アプリケーション情報を基礎とする前記アクティブ・アプリケーションに対応するパラメータ、前記画質モード・テーブル及び前記パラメータ・テーブルにより、前記アクティブ・アプリケーションに関連づけられるビデオ回路を調整し、
前記第１の記憶手段は、前記画質モードを前記アクティブ・アプリケーションのディスプレイに対応付けさせることができ、
前記制御手段は、前記アクティブ・アプリケーションの表示状態に対応するパラメータによっても前記ビデオ回路を調整することを特徴とする画像表示システム。
【請求項１２】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
前記ビデオ回路を調整するためのパラメータが各々前記画質モードに対応付けされるパラメータ・テーブルを予め記憶する第１の記憶手段と、
パラメータに応じて前記ビデオ回路を調整する制御手段とを備え、
前記コンピュータは、
アクティブ・アプリケーションを判別する判別手段と、
アプリケーション・ソフトウェアが各々前記画質モードに対応付けされる画質モード・テーブルを予め記憶する第２の記憶手段とを備え、
前記制御手段は、前記コンピュータから前記通信インターフェイスを介して受信されるアクティブ・アプリケーションの前記画質モードに対応するパラメータにより前記ビデオ回路を調整し、
前記第２の記憶手段はさらに、前記画質モードを前記グラフィック・コントローラの画質調整値に対応付けさせることができ、
前記グラフィック・コントローラは、前記アクティブ・アプリケーションの画質モードに対応する画質調整値によって調整され、
前記アクティブ・アプリケーションの画質モードが決定され、前記アクティブ・アプリケーションの画質モードの決定後に、前記ビデオ回路を調整するためのパラメータが決定されることを特徴とする画像表示システム。
【請求項１３】
画質を調整するビデオ回路を備えたディスプレイ装置と、このディスプレイ装置に対して画像を表示するためのグラフィック・コントローラを備えたコンピュータとを有する画像表示システムにおいて、
前記コンピュータと前記ディスプレイ装置との通信に使用される通信インターフェイスを備え、
前記ディスプレイ装置は、
パラメータに応じて前記ビデオ回路を調整する制御手段を備え、
前記コンピュータは、
アクティブ・アプリケーションを判別する判別手段と、
アプリケーション・ソフトウェアが各々画質モードに対応付けされる画質モード・テーブルと、前記ビデオ回路を調整するためのパラメータが各々前記画質モードに対応付けされるパラメータ・テーブルとを予め記憶する第２の記憶手段とを備え、
前記制御手段は、前記コンピュータから前記通信インターフェイスを介して受信されるアクティブ・アプリケーションのパラメータにより前記ビデオ回路を調整し、
前記記憶手段はさらに、前記画質モードを前記アプリケーション・ソフトウェアの表示状態に対応付けさせることができ、
前記制御手段は、前記アクティブ・アプリケーションの表示状態に対応するパラメータによっても前記ビデオ回路を調整し、
前記アクティブ・アプリケーションの画質モードは前記画質モード・テーブルを介して決定され、前記アクティブ・アプリケーションの画質モードの決定後に、前記パラメータ・テーブルを介して、前記ビデオ回路を調整するためのパラメータが決定されることを特徴とする画像表示システム。
【請求項１４】
請求項１３に記載の画像表示システムにおいて、
前記第２の記憶手段は、アプリケーション・ソフトウェアの表示状態に応じて画質モードがさらに対応付け可能であり、
アクティブ・アプリケーションに対して表示状態に応じた画質モードが対応付けられている場合には、前記ビデオ回路を調整することを特徴とする画像表示システム。
【請求項１５】
請求項１８に記載の画像表示システムにおいて、
前記第１の記憶手段は、画質モードと前記グラフィック・コントローラの画質調整値とをさらに対応付け可能であり、
アクティブ・アプリケーションに対応付けられた画質モードに対して画質調整値が対応付けられている場合には、前記グラフィック・コントローラを調整することを特徴とする画像表示システム。
【請求項１６】
請求項１１または１２に記載の画像表示システムにおいて、
前記第１の記憶手段は、画質モードと前記グラフィック・コントローラの画質調整値とをさらに対応付け可能であり、
アクティブ・アプリケーションに対応付けられた画質モードに対して画質調整値が対応付けられている場合には、前記グラフィック・コントローラを調整することを特徴とする画像表示システム。
【請求項１７】
請求項１３に記載の画像表示システムにおいて、
前記第２の記憶手段は、画質モードと前記グラフィック・コントローラの画質調整値とをさらに対応付けて記憶可能であり、
アクティブ・アプリケーションに対応付けられた画質モードに対して画質調整値が対応付けられている場合には、前記グラフィック・コントローラを調整することを特徴とする画像表示システム。
【請求項１８】
請求項１１に記載の画像表示システムにおいて、
前記第１の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とする画像表示システム。
【請求項１９】
請求項１２または１３に記載の画像表示システムにおいて、
前記第２の記憶手段は、アプリケーション・ソフトウェアの表示状態に応じて前記グラフィック・コントローラの画質調整値をさらに対応付け可能であり、
アクティブ・アプリケーションに対して、表示状態に応じた画質調整値が対応付けられている場合には、前記グラフィック・コントローラを調整することを特徴とする画像表示システム。
【請求項２０】
請求項１５ないし１９のいずれかに記載の画像表示システムにおいて、
前記画質調整値は、少なくともガンマ値と解像度のいずれか一方を含むことを特徴とする画像表示システム。
【請求項２１】
請求項１１ないし１３のいずれかに記載の画像表示システムにおいて、
前記パラメータは、ガンマ値、コントラスト、ブライトネス、色温度、輪郭補正のうち、少なくともいずれか一つを含むことを特徴とする画像表示システム。
【手続補正２】
【補正対象書類名】明細書
【補正対象項目名】全文
【補正方法】変更
【補正の内容】
【発明の詳細な説明】
【発明の名称】ディスプレイ装置及び画像表示システム
【技術分野】
【０００１】
この発明は、液晶表示装置を用いたディスプレイ装置やＣＲＴを用いたディスプレイ装置などのディスプレイ装置に対して、コンピュータに取り付けられたグラフィック・コントローラからの出力信号に基づいて画像を表示するためのディスプレイ装置及び画像表示システムに関する。
【背景技術】
【０００２】
コンピュータに接続されたディスプレイ装置には、ユーザが処理の目的に応じてコンピュータに実行させているアプリケーション・ソフトウェアが表示されている。一般的に、ディスプレイ装置には複数個のウインドウが表示され、各ウインドウ内にアプリケーション・ソフトウェアの実行画面やそれに関する画面が表示されている。
【０００３】
上記のアプリケーション・ソフトウェアとしては、例えば、主としてテキスト処理を行なうワードプロセッサや、主として写真画像を処理するためのレタッチソフトなどがある。これらテキストや写真画像など取り扱う対象が異なるアプリケーション・ソフトウェアでは、ユーザが作業を行ないやすい、ディスプレイ装置における画質が大きく異なっているものである。そこで、従来のディスプレイ装置では、使用しているアプリケーション・ソフトウェアに応じてユーザが適宜に画質を調整して作業を行なっていた。
【発明の開示】
【発明が解決しようとする課題】
【０００４】
しかしながら、このような構成を有する従来例の場合には、次のような問題がある。
すなわち、ディスプレイ装置には複数個のウインドウが表示され、各ウインドウ内にアプリケーション・ソフトウェアが表示されているので、例えば、ユーザがワードプロセッサに適した画質に調整した状態において、ワードプロセッサが表示されているウインドウの裏側に位置していたレタッチソフトを選択した場合には、そのディスプレイ装置の画質はワードプロセッサに適した画質のままである。つまりレタッチソフトに不適切な画質のままでそのソフトを使用するか、あるいは画質をレタッチソフトに適したように調整する必要があり、選択したアプリケーション・ソフトウェアに応じて画質を手動で調整しなければならないという煩雑さがある。
【０００５】
上記の煩雑さを軽減するために、ディスプレイ装置に予め種々の画質をプリセットしておき、ユーザがアプリケーション・ソフトウェアを切り換えるたびに、ディスプレイ装置に配備されている画質選択ボタンでプリセットした画質の中から現在選択しているアプリケーション・ソフトウェアに適した画質に手動で切り換えるという手法がある。しかしながら、このような手法を用いても、画質の調整切り換えは、ユーザにとってはやはり繁雑な作業であることに変わりはない。
【０００６】
この発明は、このような事情に鑑みてなされたものであって、アプリケーション・ソフトウェアに予め対応付けておいたパラメータにより画質を自動的に切り換えることによって、選択されたアプリケーション・ソフトウェアに応じた適切な画質への切り換えが極めて容易にできるディスプレイ装置及び画像表示システムを提供することを目的とする。
【課題を解決するための手段】
【０００７】
この発明は、このような目的を達成するために、次のような構成をとる。
すなわち、請求項１に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータによる実行が可能な複数のアプリケーション・ソフトウェアの各々が複数の画質モードのうちの選択された１つに対応付けされる画質モード・テーブルと、前記ビデオ回路を調整するためのパラメータが前記複数の画質モードの各々に対応付けられるパラメータ・テーブルとを予め記憶する第１の記憶手段と、前記コンピュータで実行され、かつユーザにより選択される１つのアプリケーション・ソフトウェアがアクティブ・アプリケーションである場合、前記通信インターフェイスを介して前記アクティブ・アプリケーションを決定し、かつ前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記画質モード・テーブル及び前記パラメータ・テーブルを基礎として前記アクティブ・アプリケーションに対応するパラメータにより、前記アクティブ・アプリケーションに関連づけられるビデオ回路を調整するための制御手段と、を備え、前記第１の記憶手段は、前記画質モードを前記アクティブ・アプリケーションの表示状態に対応させることができ、前記制御手段は、前記アクティブ・アプリケーションの表示状態に対応するパラメータによって前記ビデオ回路を調整することを特徴するものである。
【０００８】
請求項２に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記コンピュータで実行が可能な複数のアプリケーション・ソフトウェアの各々が複数の画質モードのうちの選択された１つに対応付けされる画質モード・テーブルと、前記ビデオ回路を調整するためのパラメータが前記複数の画質モードの各々に対応付けられるパラメータ・テーブルとを予め記憶する第１の記憶手段と、前記コンピュータで実行され、かつユーザにより選択される１つのアプリケーション・ソフトウェアがアクティブ・アプリケーションである場合、前記コンピュータにより決定されるアクティブ・アプリケーション情報を前記通信インターフェイスを介して受信し、かつ前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記画質モード・テーブル及び前記パラメータ・テーブルを基礎として前記アクティブ・アプリケーションに対応するパラメータにより、前記アクティブ・アプリケーションに関連づけられるビデオ回路を調整するための制御手段と、を備え、前記第１の記憶手段は、前記画質モードを前記アクティブ・アプリケーションの表示状態に対応させることができ、前記制御手段は、前記アクティブ・アプリケーションの表示状態に対応するパラメータによって前記ビデオ回路を調整することを特徴とするものである。
【０００９】
請求項３に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、前記ビデオ回路を調整するためのパラメータが各々複数の画質モードのうちの１つに対応付けられるパラメータ・テーブルを予め記憶する第１の記憶手段と、アプリケーション・ソフトウェアが画質モードに対応付けされる画質モード・テーブルを予め記憶する前記コンピュータにより実行されかつユーザにより選択されるアプリケーション・ソフトウェアがアクティブ・アプリケーションである場合、前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記コンピュータにより決定されかつ前記通信インターフェイスを介して受信される前記アクティブ・アプリケーションの画質モード及び前記パラメータ・テーブルを基礎として前記アクティブ・アプリケーションに対応するパラメータにより、前記アクティブ・アプリケーションに関連づけられるビデオ回路を調整する制御手段と、を備え、前記第１の記憶手段は、前記グラフィック・コントローラの画質調整値を前記アクティブ・アプリケーションの表示状態に対応させるように動作し、前記グラフィック・コントローラは、前記アクティブ・アプリケーションの表示状態に対応する画質調整値によって調整されることを特徴とするものである。
【００１０】
請求項４に記載の発明は、コンピュータに内蔵されたグラフィック・コントローラからの出力信号に基づきビデオ回路を介して画像を表示するディスプレイ装置において、前記コンピュータとの間における通信に使用される通信インターフェイスと、アプリケーション・ソフトウェアが各々画質モードに対応付けされる画質モード・テーブルと、前記コンピュータにより実行されるべきアプリケーション・ソフトウェアが各々前記ビデオ回路を調整するためのパラメータに対応付けされるパラメータ・テーブルとを予め記憶する前記コンピュータにより実行され、かつユーザにより選択されるアプリケーション・ソフトウェアがアクティブ・アプリケーションである場合、前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記コンピュータにより決定されかつ前記通信インターフェイスを介して受信される前記アクティブ・アプリケーションに対応するパラメータにより、前記アクティブ・アプリケーションに関連づけられるビデオ回路を調整する制御手段と、前記グラフィック・コントローラの画質調整値を前記アプリケーション・ソフトウェアの表示状態に対応させる記憶手段と、を備え、前記グラフィック・コントローラは、前記アクティブ・アプリケーションの表示状態に対応する画質調整値によって調整されることを特徴とするものである。
【００１１】
請求項１１に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、前記コンピュータにより実行されるべきアプリケーション・ソフトウェアが各々画質モードに対応付けされる画質モード・テーブルと、前記ビデオ回路を調整するためのパラメータが各々前記画質モードに対応付けされるパラメータ・テーブルとを予め記憶するための第１の記憶手段と、前記パラメータによって前記ビデオ回路を調整する制御手段とを備え、前記コンピュータは、アクティブ・アプリケーションを判別するための判別手段を含み、前記制御手段は、前記画質モード・テーブルを介して前記アクティブ・アプリケーションの画質モードを決定し、前記アクティブ・アプリケーションの画質モードの決定後に、前記パラメータ・テーブルを介して前記ビデオ回路を調整するためのパラメータを決定し、前記ビデオ回路を調整するためのパラメータの決定後に、前記コンピュータから前記通信インターフェイスを介して受信されるアクティブ・アプリケーション情報を基礎とする前記アクティブ・アプリケーションに対応するパラメータ、前記画質モード・テーブル及び前記パラメータ・テーブルにより、前記アクティブ・アプリケーションに関連づけられるビデオ回路を調整し、前記第１の記憶手段は、前記画質モードを前記アクティブ・アプリケーションのディスプレイに対応付けさせることができ、前記制御手段は、前記アクティブ・アプリケーションの表示状態に対応するパラメータによっても前記ビデオ回路を調整することを特徴とするものである。
【００１２】
請求項１２に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、前記ビデオ回路を調整するためのパラメータが各々前記画質モードに対応付けされるパラメータ・テーブルを予め記憶する第１の記憶手段と、パラメータに応じて前記ビデオ回路を調整する制御手段とを備え、前記コンピュータは、アクティブ・アプリケーションを判別する判別手段と、アプリケーション・ソフトウェアが各々前記画質モードに対応付けされる画質モード・テーブルを予め記憶する第２の記憶手段とを備え、前記制御手段は、前記コンピュータから前記通信インターフェイスを介して受信されるアクティブ・アプリケーションの前記画質モードに対応するパラメータにより前記ビデオ回路を調整し、前記第２の記憶手段はさらに、前記画質モードを前記グラフィック・コントローラの画質調整値に対応付けさせることができ、前記グラフィック・コントローラは、前記アクティブ・アプリケーションの画質モードに対応する画質調整値によって調整され、前記アクティブ・アプリケーションの画質モードが決定され、前記アクティブ・アプリケーションの画質モードの決定後に、前記ビデオ回路を調整するためのパラメータが決定されることを特徴とするものである。
【００１３】
請求項１３に記載の発明は、画質を調整するビデオ回路を備えたディスプレイ装置と、このディスプレイ装置に対して画像を表示するためのグラフィック・コントローラを備えたコンピュータとを有する画像表示システムにおいて、前記コンピュータと前記ディスプレイ装置との通信に使用される通信インターフェイスを備え、前記ディスプレイ装置は、パラメータに応じて前記ビデオ回路を調整する制御手段を備え、前記コンピュータは、アクティブ・アプリケーションを判別する判別手段と、アプリケーション・ソフトウェアが各々画質モードに対応付けされる画質モード・テーブルと、前記ビデオ回路を調整するためのパラメータが各々前記画質モードに対応付けされるパラメータ・テーブルとを予め記憶する第２の記憶手段とを備え、前記制御手段は、前記コンピュータから前記通信インターフェイスを介して受信されるアクティブ・アプリケーションのパラメータにより前記ビデオ回路を調整し、前記記憶手段はさらに、前記画質モードを前記アプリケーション・ソフトウェアの表示状態に対応付けさせることができ、前記制御手段は、前記アクティブ・アプリケーションの表示状態に対応するパラメータによっても前記ビデオ回路を調整し、前記アクティブ・アプリケーションの画質モードは前記画質モード・テーブルを介して決定され、前記アクティブ・アプリケーションの画質モードの決定後に、前記パラメータ・テーブルを介して、前記ビデオ回路を調整するためのパラメータが決定されることを特徴とする記パラメータにより前記ビデオ回路を調整する制御手段と、を備えたことを特徴とするものである。
【発明の効果】
【００１４】
この発明に係るディスプレイ装置によれば、コンピュータで実行され、ユーザによって選択されたアプリケーション・ソフトウェアがアクティブ・アプリケーションとして認識され、それが通信インターフェイスを介して判別される。そして、第１の記憶手段に記憶されている画質モード・テーブルとパラメータ・テーブルに基づき、制御手段がアクティブ・アプリケーションに応じた画質調整のパラメータでビデオ回路を調節する。画質モード・テーブルとパラメータ・テーブルを記憶する第１の記憶手段を備え、アクティブ・アプリケーションの判別を通信インターフェイスを介して行なう構成であっても上記請求項１と同様の効果を奏する。
【発明を実施するための最良の形態】
【００１５】
以下、図面を参照してこの発明の一実施例を説明する。
図１はこの発明の一実施例に係り、ディスプレイ装置とコンピュータを含む画像表示システムの概略構成を示したブロック図である。
【００１６】
この画像表示システムは、画像を表示するデバイスであるディスプレイ装置１と、ディスプレイ装置１に対して画像に係る信号を出力するコンピュータ３とを備えている。ディスプレイ装置１は、例えば、ＣＲＴ５を備えており、ビデオ回路７からの信号によって画像が表示されるようになっている。このビデオ回路７は、後述するコンピュータ３が内蔵しているグラフィック・コントローラ２１に対してビデオケーブル８で接続されており、その出力信号に基づき動作する。
【００１７】
なお、グラフィック・コントローラ２１としては、コンピュータ３に内蔵されたものの他、コンピュータ３の拡張スロットなどに取り付けられる形態のグラフィック・カードも含まれる。
【００１８】
本発明の第１の記憶手段に相当するメモリ９は、上記のビデオ回路７を制御して画質を調節するためのパラメータを記憶している。具体的には、ディスプレイ装置１での画質が適切となるように、画質モードとパラメータとを予め対応付けたパラメータ・テーブルを記憶している。このパラメータ・テーブルに関する詳細は後述するが、具体的には図２の模式図に示すようなものである。
【００１９】
本発明における通信インターフェイスに相当するＵＳＢコントローラ１１には、コンピュータ３に接続されているＵＳＢケーブル１２が接続されている。このＵＳＢコントローラ１１は、主としてコンピュータ３との通信に使用されるものである。
【００２０】
制御部１３は、コンピュータ３で実行され、そのユーザによって選択されてアクティブにされたアプリケーション・ソフトウェア（以下、これをアクティブ・アプリケーションと称する）の画質モードを判別する。
【００２１】
具体的には、ＵＳＢコントローラ１１からアクティブ・アプリケーションの画質モードを取得する。そして、メモリ９に格納されているパラメータ・テーブルと、その画質モードとに基づき対応するパラメータを抽出し、そのパラメータでビデオ回路７を調整する。
【００２２】
なお、上記の制御部１３が本発明における制御手段に相当するものである。
【００２３】
コンピュータ３は、ＣＰＵ１５と、メモリ１７と、ハードディスク１９と、グラフィック・コントローラ２１とを備え、これらがバス２３を介して接続されている。
【００２４】
メモリ１７にはハードディスク１９から読み込まれて実行されたプログラムが常駐する。また、ハードディスク１９からは、必要に応じて画質モード・テーブル（図３参照）が読み込まれる。プログラムは、画質モード・テーブルにおける対応付けや設定をしたり、コンピュータ３で実行されている複数のアプリケーション・ソフトウェアのうち、いずれがユーザによって選択されたかを認識し、その画質モードを判別したりするように動作する。
【００２５】
ハードディスク１９は、オペレーティング・システムや各種プログラム、さらに画質モード・テーブルを格納している。
【００２６】
なお、上記のＣＰＵ１５が本発明の判別手段に相当し、メモリ１７が本発明における第２の記憶手段に相当する。
【００２７】
メモリ９に格納されているパラメータ・テーブルは、例えば、図２の模式図に示すように構成されている。つまり、９種類の画質モードと、ビデオ回路７を調整するためのパラメータとを対応させたテーブル形式のデータである。これらの対応付けは、予め工場調整時に設定されている。また、ユーザが好みに応じて自在に設定することもできる。
【００２８】
本実施例では、一例として９種類の画質モードを設定してある。具体的には、Ｔｅｘｔ，Ｂｒｏｗｓｅｒ，Ｐｉｃｔｕｒｅ，Ｇｒａｐｈｉｃ，ｓＲＧＢ，Ｍｏｖｉｅ１，Ｍｏｖｉｅ２，Ｍｏｖｉｅ３，Ｍｏｖｉｅ４である。
【００２９】
「Ｔｅｘｔ」モードは、標準的な画面表示であり、文章を書いたり、読んだりする場合に適した画質モードであり、主としてワードプロセッサなどに適している。「Ｂｒｏｗｓｅｒ」モードは、コントラストを少し強調補正した画面表示であり、ブラウザのような文章と写真が混在した画面の表示に好適な画質モードであり、「Ｐｉｃｔｕｒｅ」モードは、輝度を上げてコントラストを強調補正した画面表示であり、写真などの静止画像に適した画質モードである。
【００３０】
また、「Ｇｒａｐｈｉｃ」モードは、コントラスト強調補正せずに輝度を上げた明るい画面表示で、アニメーションやイラストなどに適している。「ｓＲＧＢ」モードは、Ｗｉｎｄｏｗｓ規格のｓＲＧＢに対応した画面表示であり、色温度が６５００Ｋに固定され、プリンタなど他の機器と色環境を統一化できるので、印刷などに適している。
【００３１】
「Ｍｏｖｉｅ１」モードは、高輝度でコントラストを強調補正した明るい画面表示で、フルスクリーンでのＤＶＤやＴＶなどの動画に適し、「Ｍｏｖｉｅ２」モードは、高輝度でコントラストを強調補正した明るい画面表示で、ＤＶＤやＴＶなどの動画を標準サイズ表示に適し、「Ｍｏｖｉｅ３」モードは、高輝度でコントラストを強調補正しない画面表示であって、シャープネスがかかり、「Ｍｏｖｉｅ４」モードは、高輝度でコントラストを強調補正しない画面表示であり、シャープネスもかからない。
【００３２】
上記の９種類の各画質モードにはパラメータとして、例えば、コントラストと、ブライトネスと、色温度と、低階調部のガンマ値であるガンマ１と、中間階調部のガンマ値であるガンマ２と、輪郭補正とを含んでいる。これらのパラメータは、予めデフォルト値として設定されているものやユーザ自身が適宜に設定可能に構成されているものがある。
【００３３】
なお、上述した全てのパラメータを設定する必要はなく、それらのうちいずれか一つだけを設定するように構成してもよい。
【００３４】
メモリ１７に格納されている画質モード・テーブルは、例えば、図３の模式図に示すように構成されている。つまり、上述した９種類の画質モードと、グラフィック・コントローラ２１を調整するための画質調整値とを、アプリケーション・ソフトウェアに対応させたテーブルである。これらの対応付けはユーザによって必要に応じて予め行なわれる。
【００３５】
この例では、アプリケーション・ソフトウェアの「ワードプロセッサ」に「Ｔｅｘｔ」モードを対応付け、「表計算」に「Ｔｅｘｔ」モードを対応付け、「レタッチ」に「Ｇｒａｐｈｉｃ」モードを対応付け、「動画再生」に「Ｗｉｎｄｏｗ  Ｍｏｖｉｅ」モードを対応付けてある。上記の「ワードプロセッサ」としては、例えば、マイクロソフト社のワードが代表的であり、「表計算」としてはマイクロソフト社のエクセルが代表的である。また、「レタッチ」としてはアドビ社のフォトショップが代表的であり、「動画再生」としてはマイクロソフト社のウインドウズメディアプレイヤが代表的である。
【００３６】
なお、上記の「Ｗｉｎｄｏｗ  Ｍｏｖｉｅ」モードは、他の画質モードとは異なり、図２のパラメータ・テーブルにおける画質モードの「Ｍｏｖｉｅ１」あるいは「Ｍｏｖｉｅ２」に対応付けられている。
【００３７】
画質モード・テーブルに設定される画質調整値は、例えば、ガンマ値と解像度が挙げられる。一般的には、ＴｅｘｔモードやＧｒａｐｈｉｃモードでは、これらを変更する必要性は少なく、デフォルトのままにしておくことが多い。つまり、図３中の符号γ−１〜３のガンマ値及び符号Ｒ−１〜３の解像度はデフォルト値であることが多い。
【００３８】
その一方、これらの設定が有用となるのは、「Ｗｉｎｄｏｗ  Ｍｏｖｉｅ」モードである。例えば、図３におけるガンマ値γ−４は、デフォルトよりも低く設定して輝度を下げるように設定することが好ましい。また、解像度Ｒ−４は、鑑賞に適した値に設定することが好ましい。
【００３９】
上記のグラフィック・コントローラ２１は、メモリ１７で実行されているオペレーティング・システムの指示に基づきディスプレイ装置１のビデオ回路７に対して描画に関する信号を出力する。その際には、上記の画質モード・テーブルが参照され、画質調整値がグラフィック・コントローラ２１に対して反映される。しかしながら、動画が表示される領域に対してだけはそのガンマ値が反映されないようになっている。この機能は一般的に『オーバー・レイ』と称され、現在市販されているグラフィック・コントローラやグラフィック・カードの多くがこの機能を備えている。
【００４０】
次に、画像表示システムの動作のうち要部を示した図４のフローチャートを参照しながら、上述した画像表示システムの動作について説明する。
【００４１】
なお、コンピュータ３では、ユーザによって複数のアプリケーション・ソフトウェアが既に実行されているものとする。また、以下に説明する処理は、アプリケーション・ソフトウェアが切り換えられた時点からの処理のうちの要部を示しており、切り換えられる度に以下の処理が実行される。
【００４２】
ステップＳ１
例えば、ユーザが図示しないマウスなどのポインティング・デバイスを使ってウインドウの一つを選択することにより選ばれたアプリケーション・ソフトウェア、つまりアクティブ・アプリケーションをオペレーティング・システム（以下、ＯＳとする）が認識する。それを受けてプログラムがアクティブ・アプリケーションの画質モードを判別する。
【００４３】
アクティブ・アプリケーションの認識及び画質モードの判別は、例えば、以下のようにして行なわれる。なお、ＯＳがＷｉｎｄｏｗｓである場合を例に採って説明する。
【００４４】
まず、ＯＳがアクティブ・アプリケーションのＷｉｎｄｏｗハンドル（以下、ＡＨとする）を取得し、このＡＨを利用して、アクティブ・アプリケーションのプロセスＩＤ（以下、ＡＩＤとする）を取得する。次に、ＯＳ上で起動されているアプリケーション・ソフトウェアのプロセスＩＤ（ＯＳが実行中のプログラムを管理するためのＩＤ）の一覧を取得する。そして、ＯＳ上で起動されているアプリケーション・ソフトウェアのプロセス（以下、ＣＰとする）の一覧を取得する。
【００４５】
次に、ＣＰからプロセスＩＤ（以下、ＣＩＤとする）を取得し、ＡＩＤとＣＩＤが一致しているか否かを判別する。そして、これらが一致している場合には、ＣＰからアプリケーション・ソフトウェアの実行プログラム名（拡張子がＥＸＥ）、すなわちアプリケーション・ソフトウェアを取得する。このアプリケーション・ソフトウェアについて画質モード・テーブルを照合し、このテーブルにそのアプリケーション・ソフトウェアがあるか否かによって画質モードを判別する。
【００４６】
ステップＳ２
判別したアクティブ・アプリケーションと画質モード・テーブルに基づき、アクティブ・アプリケーションに応じたグラフィック・コントローラ２１の画質調整を行なう。さらに、アクティブ・アプリケーションに対応する画質モードをＵＳＢコントローラ１１を介してディスプレイ装置１に伝送する。
【００４７】
このようにビデオ回路７だけでなく、グラフィック・コントローラ２１の画質調整値が対応付けられている場合には、グラフィック・コントローラ２１も調整することにより、ビデオ回路７だけでは調整できない画質調整が可能となっている。
【００４８】
一例として、アクティブ・アプリケーションが「ワードプロセッサ」であったとする。その場合は、図３の画質モード・テーブルから画質モードが「Ｔｅｘｔ」であるので、これがディスプレイ装置１に伝送される。
【００４９】
なお、アクティブ・アプリケーションの画質モードが、既に設定されている画質モードと同じである場合には処理を終了する。
【００５０】
ステップＳ３
ディスプレイ装置１では、制御部１３が受け取った画質モードと、メモリ９のパラメータ・テーブルとに基づいて画質モードに対応するパラメータを読み出す。
【００５１】
アクティブ・アプリケーションが「ワードプロセッサ」であって、その画質モードが「Ｔｅｘｔ」モードの場合には、図２のパラメータ・テーブルからコントラスト：１００、ブライトネス：１００、色温度：９３００Ｋ、ガンマ１：オフ、ガンマ２：オフ、輪郭補正：オフが読み出されることになる。
【００５２】
ステップＳ４
制御部１３は、読み出したパラメータに応じてビデオ回路７を制御する。これによりアクティブ・アプリケーションに応じた画質でディスプレイ装置１に画像が表示されることになる。
【００５３】
このようにユーザが選択したアプリケーション・ソフトウェアに関連付けられたパラメータで制御部１３がビデオ回路７を調節するので、ユーザが意識することなく、選択されたアプリケーション・ソフトウェアに応じた適切な画質に自動的に切り換えることができる。そのためユーザに対する負担が極めて少なく、ディスプレイ装置１の画質切換が極めて容易にできるようになっている。
【００５４】
ところで、上述した９つの画質モードは、ビデオ回路７のパラメータを変更するだけで実現されている。そのためアクティブ・アプリケーションに応じた画質調整を行なうと、表示画面の全体が一律に調整されてしまう。「Ｍｏｖｉｅ１」等は、動画を最適に表示するために高輝度となるような画質モードであるが、動画以外の画像にとっては過度に明るく不適切な画質モードである。そのため動画をウインドウ表示させたとき、コンピュータ画像が過度に明るく見づらい画面となる。
【００５５】
そこで、アクティブ・アプリケーションが動画再生に関するものであって、画質モード・テーブル中の画質モード「Ｗｉｎｄｏｗ  Ｍｏｖｉｅ」に対するガンマ値（図３中のγ−４）をデフォルト値から下げておく。この場合には、「Ｍｏｖｉｅ１」または「Ｍｏｖｉｅ２」に設定されたパラメータに応じてビデオ回路７が調整されるとともに、コンピュータ３のグラフィック・コントローラ２１のガンマ値が設定値γ−４に応じて調整される。上述したようにグラフィック・コントローラ２１には「オーバー・レイ」機能が備わっているのが一般的であるので、動画表示領域と動画以外の表示領域とを独立して制御可能であり、それらを独立して画質設定することができる。例えば、グラフィック・コントローラ２１のガンマ値がデフォルトあるいは動画以外の画像に最適となるように設定されている場合には、中間色を含む動画再生領域はやや暗めの表示となる。
【００５６】
動画再生のアプリケーション・ソフトウェアに対する画質モードとして動画再生に適した、例えば「Ｍｏｖｉｅ１」を設定した場合には、動画表示領域が最適表示になる一方で、それ以外の表示領域が過度に明るくなる。その一方、上述したように「Ｗｉｎｄｏｗ  Ｍｏｖｉｅ」を画質モードとして設定し、かつ、そのガンマ値γ−４を低めに設定した場合には、グラフィック・コントローラ２１のガンマ値が制御されて輝度が低下されるとともに、例えば、「Ｗｉｎｄｏｗ  Ｍｏｖｉｅ」に対応する画質モード「Ｍｏｖｉｅ１」がディスプレイ装置１側に伝えられ、それに応じたパラメータでビデオ回路７が調整される。
【００５７】
上述したように「オーバー・レイ」機能により動画が再生される領域についてはガンマ値が反映されないようになっているので、動画以外の例えばワードプロセッサなどが表示されている領域がガンマ値に応じて暗く表示される一方、動画が再生されている領域についてはそのままである。したがって、上述したようにガンマ値が下げられたとしても、動画再生の領域だけは明るく表示され、映画鑑賞等に適した画質のままとなる。
【００５８】
また、動画やゲームなどのアプリケーション・ソフトウェアでは、高解像度で表示させるよりも低解像度で表示させた方が適した場合がある。このような場合には、画質モード・テーブルの解像度Ｒ−４を低解像度に設定しておくことが好ましい。
【００５９】
なお、本発明は上記の実施形態に限定されるものではなく、以下のように変形実施も可能である。
【００６０】
（１）上記の実施例ではコンピュータ３のＣＰＵ１５でアクティブ・アプリケーションを判別しているが、この判別をＵＳＢコントローラ１１を介してディスプレイ装置１側で行なうようにしてもよい。この場合には、例えば、アクティブ・アプリケーションの判別が可能な情報をコンピュータ３からディスプレイ装置１に伝送したり、コンピュータ３側のアクティブ・アプリケーションに係る情報をディスプレイ装置１側から読み取ったりすることで判断する。
【００６１】
（２）上述した実施例でコンピュータ３のメモリ９に記憶していた画質モード・テーブルをディスプレイ装置１のメモリ１７に記憶するようにしてもよい。この場合には、コンピュータ３からアクティブ・アプリケーションに関する情報がディスプレイ装置１側に伝送され、そのアプリケーション情報に基づき、制御部１３によってアクティブ・アプリケーションの画質モードが判別される。
【００６２】
（３）実施例におけるパラメータ・テーブルと画質モード・テーブルとを両方ともコンピュータ３側のハードディスク１９に備えるようにしてもよい。この場合には、コンピュータ３側でアクティブ・アプリケーションに応じたパラメータを読み出し、パラメータ自体をディスプレイ装置１に伝送して画質を調整するようにする。
【００６３】
（４）画質モードとアプリケーション・ソフトウェアとを対応付けた画質モード・テーブルを用いることなく、アプリケーション・ソフトウェアとパラメータとを直接的に対応付けたパラメータ・テーブルを用いてもよい。その場合には、これに基づきアクティブ・アプリケーションに応じたパラメータを得るようにする。また、パラメータ・テーブルを備えるのは、ディスプレイ装置１側のメモリ９であってもコンピュータ３側のハードディスク１９であってもよい。前者ではアクティブ・アプリケーション情報をディスプレイ装置１に伝え、後者ではパラメータをディスプレイ装置１に伝えるようにする。
【００６４】
（５）画質モード・テーブルは、アプリケーション・ソフトウェアと画質モードとの対応付けだけでもよく、画質調整値については対応付けなくてもよい。
【００６５】
（６）画質調整値としては、ガンマ値と解像度の両方を備える必要はなく、いずれか一方だけでもよい。
【００６６】
（７）通信インターフェイスとしては、ＵＳＢを用いることなくシリアルインターフェイスを用いてもよい。
【００６７】
（８）通信インターフェイスとしては、グラフィック・コントローラ２１の出力信号に多重化などの手段で混在させたり、出力信号線数を増やしたりしてグラフィック・コントローラ２１から上記インターフェイスで伝送される情報を伝えるようにしてもよい。つまり、通信インターフェイスを一体化した構成を採用してもよい。
【００６８】
（９）上述した「Ｗｉｎｄｏｗ  Ｍｏｖｉｅ」モードでは、アプリケーション・ソフトウェアの『表示状態』、例えば、アプリケーション・ソフトウェアがディスプレイ装置１に表示されている複数個のウインドウのうちの一つに表示されているか（これを「ウインドウ表示」と称する）、ディスプレイ装置１の全画面に表示されている、最大化された一つのウインドウに表示されているか（これを「フルスクリーン表示」と称する）の表示状態をも判別して、これに応じて画質モードを切り換えるようにしてもよい。
【００６９】
具体的には、動画を「ウインドウ表示」している場合に、その動画と、他のウインドウに表示されているアプリケーション・ソフトウェアの表示とを両立させるように画質調整値を設定した第１の画質モードと（例えば「Ｍｏｖｉｅ２」）、動画を「フルスクリーン表示」している場合に、その動画だけに特化するように画質調整値を設定した第２の画質モード（例えば「Ｍｏｖｉｅ１」）とを切り換えるようにする。
【００７０】
なお、「ウインドウ表示」と「フルスクリーン表示」は、例えば、ＯＳがＷｉｎｄｏｗｓの場合には次のようにして判別すればよい。
すなわち、まず、アクティブ・アプリケーションのＷｉｎｄｏｗハンドル（上述したようにＡＨとする）のクライアント領域の大きさ（以下、ＣＲとする）を取得し、ＡＨからディスプレイ装置１の全面領域の解像度（以下、ＭＲとする）を取得する。そして、ＣＲとＭＲが一致していれば、「フルスクリーン表示」であり不一致なら「ウインドウ表示」と判別すればよい。
【図面の簡単な説明】
【００７１】
【図１】実施例に係る画像表示システムの概略構成を示したブロック図である。
【図２】パラメータ・テーブルの模式図である。
【図３】画質モード・テーブルの模式図である。
【図４】画像表示システムの動作のうち要部を示したフローチャートである。
【符号の説明】
【００７２】
１  …  ディスプレイ装置
３  …  コンピュータ
５  …  ＣＲＴ
７  …  ビデオ回路
８  …  ビデオケーブル
９  …  メモリ（第１の記憶手段）
１１  …  ＵＳＢコントローラ（通信インターフェイス）
１３  …  制御部（制御手段）
１５  …  ＣＰＵ（判別手段）
１７  …  メモリ
１９  …  ハードディスク（第２の記憶手段）
２１  …  グラフィック・コントローラ